(57)【特許請求の範囲】
【請求項１】
同軸給電線先端部の外部導体を取り除いて形成した棒状素子と、該棒状素子基部において外部導体に電気的に接続して同軸給電線の周囲を覆うように配置したスリーブ素子とを有するスリーブアンテナにおいて、
前記スリーブ素子と同軸給電線との電気的接続を、同軸給電線の中心導体周囲の誘電体とその外側の外部導体の間に挿入する挿入筒を備えた連結部材を介して行うと共に、
前記スリーブ素子を、同軸給電線の周囲に同軸給電線を対称軸にして平行に対向配置した少なくとも一組の導電性板体とし、
更に、前記連結部材と前記スリーブ素子との連結に、前記連結部材に係止する止め具を用い、前記連結部材上に前記スリーブ素子の取付部を載置し、前記止め具によりスリーブ素子を連結部材上に固定させることを特徴とするスリーブアンテナ。
【請求項２】
スリーブ素子が直交配置された二組の導電性板体から成る請求項１記載のスリーブアンテナ。
【発明の詳細な説明】
【０００１】
【発明の属する技術分野】
本発明は、同軸給電線の周囲にスリーブ素子を設けたスリーブアンテナに関し、詳しくは細径の同軸給電線に適した構造のスリーブアンテナに関する。
【０００２】
【従来の技術】
図６はスリーブアンテナの概略図を示している。図示するように、スリーブアンテナは同軸給電線２１の先端部略４分の１波長の長さの部位の外部導体を取り除いて中心導体部位を立設した棒状素子２２と、棒状素子２２の基部において外部導体と接続して同軸給電線２１を覆うように下方に略４分の１波長の長さ垂下した筒状のスリーブ素子２３から構成されている。
そして、従来のスリーブ素子は図７の縦断面図に示すようにスリーブ２３の上端を閉塞するように棒状導体挿通孔のみ形成し、ハンダ付けにより同軸給電線２１の外部導体２４と電気的に接続していた。
【０００３】
【発明が解決しようとする課題】
しかし、上記ハンダ付けによる接続形態の場合、同軸給電線２１として使用するケーブルが例えば細い１．５Ｄとした場合、スリーブ接続作業の際にケーブルの絶縁部がハンダ付けの際生ずる熱により劣化してしまう問題を有していた。また接続部の機械的強度が弱く信頼性に問題があったし、スリーブ素子は同軸給電線が細くなっても簡易に製造できず高価であった。
そこで、本発明は上記問題点に鑑み、同軸給電線が細くても絶縁部を劣化させることなくスリーブ素子を外部導体に接続し、また十分な機械的強度を有し、更に安価に製造が可能なスリーブ素子を有するスリーブアンテナを提供することを課題とする。
【０００４】
【課題を解決するための手段】
上記課題を解決するため、請求項１の発明は、同軸給電線先端部の外部導体を取り除いて形成した棒状素子と、該棒状素子基部において外部導体に電気的に接続して同軸給電線の周囲を覆うように配置したスリーブ素子とを有するスリーブアンテナにおいて、前記スリーブ素子と同軸給電線との電気的接続を、同軸給電線の中心導体周囲の誘電体とその外側の外部導体の間に挿入する挿入筒を備えた連結部材を介して行うと共に、前記スリーブ素子を、同軸給電線の周囲に同軸給電線を対称軸にして平行に対向配置した少なくとも一組の導電性板体とし、更に、前記連結部材と前記スリーブ素子との連結に、前記連結部材に係止する止め具を用い、前記連結部材上に前記スリーブ素子の取付部を載置し、前記止め具によりスリーブ素子を連結部材上に固定させることを特徴とする。
【０００６】
請求項２の発明は、請求項１の発明において、スリーブ素子が直交配置された二組の導電性板体から成ることを特徴とする。
【０００７】
【発明の実施の形態】
以下、本発明を具体化した実施の形態を、図面に基づいて詳細に説明する。図１は本発明に係るスリーブアンテナの斜視図を示し、１は同軸給電線、２は棒状素子、３はスリーブ素子であり、同軸給電線１及び棒状素子２は直線状に配置されている。
棒状素子２は、同軸給電線１の外部導体を除いた中心導体とその周囲を覆う誘電体とで形成され、使用周波数の略４分の１波長の長さを有している。また、スリーブ素子３は、同軸給電線１に平行に給電線１を対象軸に対向配置した２組の導電性板体３ａ，３ｂから成り、双方は互いに直交配置されて上部で十字状に互いに連結されている。導電性板体３ａ，３ｂは使用周波数の略４分の１波長の長さで形成され、連結部６は中央に円形の挿通孔７が形成され、金属製の連結部材９が装着され、給電線１の外部導体と接続されている。
【０００８】
図２は図１の給電線を除いた分解図であり、スリーブ素子３及びその装着部材を示し、図３はスリーブ素子３を同軸給電線１に接続した接続部の断面を示している。図示するように連結部材９は、スリーブ素子３の連結部６を載置する円盤状台座９ａを有し、その中央には略円柱状の突起９ｂが形成され、突起９ｂには止め具であるＥリング１１を装着する溝１２が形成されている。そして、中央に棒状素子２を挿通する挿通孔１４が形成され、連結部材９の下面には棒状素子２を挿通して給電線端部に挿入する挿入筒１３が形成されている。
尚、４はスリーブ保持部材であり、樹脂成型により形成され、中央に給電線挿通孔４ａを有し、周囲４辺にはスリーブ保持溝４ｂを有してスリーブ素子３の下部解放端を保持しているが、レドームを使用する場合等、スリーブを連結部材だけで十分保持できる場合は、スリーブ保持部材４は無くても良い。また、１０は連結部材９の抜け止め用のフェルールである。
【０００９】
次に、スリーブ素子３の装着手順を図３を基に説明する。まず給電線１にスリーブ保持部材４とフェルール１０を挿通しておく。そして、給電線１の中心導体２ａ及びその周囲誘電体１７から成る棒状素子２を連結部材９の挿通孔１４に挿入し、外部導体１６の端部となる給電線端部に連結部材９を挿入して装着する。このとき挿入筒１３は外部導体１６と誘電体１７の間に挿入される。挿入後はフェルール１０を挿入突起１３上に配置してかしめ固定する。
こうして連結部材９を取付けた後、スリーブ素子３を装着する。スリーブ素子３の装着は、挿通孔７に棒状素子２を挿通して連結部材９の台座９ａにスリーブ素子３の連結部６を載置し、Ｅリング１１をその上部の溝１２に装着してスリーブ素子３の上部を電気的に連結すると共に、下部に予め給電線１に通しておいたスリーブ保持部材４を装着すればよい。尚、挿通孔１４は同軸給電線１の誘電体１７で被覆された中心導体２ａを挿通可能な径になっている。
こうして、スリーブ素子３は連結部材を介して装着されると共に外部導体に電気的に接続される。
【００１０】
このように、連結部材を用いてスリーブ素子と給電線外部導体との接続にハンダ付けや溶接を使用しないので、細径の同軸給電線を使用しても、絶縁部が劣化することがない。また、連結部材は外部導体とその内側誘電体の間に挿入されるので、スリーブと外部導体の接続を確実に行うことができるし、接続部に十分な強度を持たせることができる。
また、スリーブ素子は円筒形状でなくとも良く、上述するように２対の導電性板材を給電線周囲に配置することで、筒形状と同様の放射特性を得ることが可能である。この場合、スリーブ素子は、導電性板材を十字状に切断した後、折り曲げるだけで容易に作製でき、安価に製造できる。
【００１１】
図４は本発明の他の形態を示し、スリーブ素子の変形例を示している。図示するように、スリーブ素子１８は給電線に対して対向配置した一対の導電性板体１８ａ，１８ａで構成しても良く、このように形成しても放射特性が大きく劣化することはない。
【００１２】
尚、上記実施の形態は棒状素子を上方に向けて、アンテナを立設した状態を説明しているが、使用電波の状態或いは設置場所に応じて、逆向きに配置しても良いし、側方に向けて設置することもできる。また、スリーブ素子は金属板を打ち抜いて折り曲げ形成しているが、樹脂成型品表面に金属膜を形成してスリーブ素子としても良い。更に止め具はＥリングでなくとも良く、例えば図５に示すような板バネを使用することができる。また、溝１２を設けずに突起９ｂの周囲にタップを切って止め具にナットを使用しても良い。
【００１３】
【発明の効果】
以上詳述したように、請求項１の発明によれば、スリーブと給電線外部導体との接続にハンダ付けや溶接を使用しないので、細径の同軸給電線を使用しても、絶縁部が劣化することがない。また、連結部材は給電線の外部導体に接するように給電線に挿入して装着するのでスリーブを確実に接続できるし、接続部に十分な強度を持たせることができる。
【００１４】
そして、同軸給電線が細くても、スリーブ素子は導電性板体を例えば十字状に切断した後、折り曲げるだけで容易に作製でき、安価に製造できる。
また、請求項２の発明によれば、スリーブが筒形状でなくとも、筒形状と同様の放射特性を得ることが可能である。
【図面の簡単な説明】
【図１】本発明の実施形態の一例を示すスリーブアンテナの斜視図である。
【図２】図１のスリーブ素子及びその取付け具の斜視図である。
【図３】図１の要部縦断面図である。
【図４】本発明の他の形態を示し、その要部であるスリーブ素子の斜視図である。
【図５】止め具の他の例を示し、（ａ）は斜視図、（ｂ）は側面図である。
【図６】スリーブアンテナの概略図である。
【図７】従来のスリーブアンテナの縦断面図である。
【符号の説明】
１・・同軸給電線、２・・棒状素子、２ａ・・中心導体、３・・スリーブ素子、３ａ，３ｂ・・導電性板体、６・・連結部、７・・挿通孔、９・・連結部材、１０・・フェルール、１１・・Ｅリング、１６・・外部導体、１７・・誘電体、１８・・スリーブ素子。
【図１】
0004105408.tif 000002
【図２】
0004105408.tif 000003
【図３】
0004105408.tif 000004
【図４】
0004105408.tif 000005
【図５】
0004105408.tif 000006
【図６】
0004105408.tif 000007
【図７】
0004105408.tif 000008